(57)【要約】【課題】フォーカスやズームの調整の際に、投写画像に影が生じることを防止するようにした投写型表示装置を提供する。【解決手段】投写レンズユニット２０１のフォーカス調整は、レバー２０１ａを投写レンズユニット２０１の光軸を軸として回転させ、投写レンズユニット２０１内のレンズの位置を光軸方向に変位させることにより行われる。このレバー２０１ａは、光線通過窓２０６から投写される投写光を遮らないよう、投写レンズユニット２０１の側方から突出するよう配置されている。【選択図】図８
2011215642.tif 000002
【特許請求の範囲】
【請求項１】
複数のレンズを有する投写レンズ部と、前記投写レンズ部から出射される光を被投写面へ反射するミラー部と、
少なくとも前記投写レンズ部及び前記ミラー部を覆う本体キャビネットとを備えた投写型表示装置において、
前記投写レンズ部は、表示素子側に配された第１レンズ群と、前記ミラー部側に配され、前記第１レンズ群よりも大きな径を有する第２レンズ群とを有し、
前記投写レンズ部内のレンズの位置を変位させる操作部を備え、
前記操作部は、
前記第２レンズ群に取り付けられると共に、
前記本体キャビネットの一部を構成する面であって、前記投写レンズ部から前記ミラー部へ出射される光の方向と前記ミラー部から前記被投写面へ出射される光の方向とから特定される面に平行な面に設けられ、
前記第２レンズ群の光軸に直交する方向に移動可能に設けられる
ことを特徴とする投写型表示装置。
【発明の詳細な説明】
【技術分野】
【０００１】
本発明は、表示素子上の画像を被投写面上に拡大投写する投写型表示装置に関し、特に、表示素子上の画像を投写レンズ部と反射ミラーの間に中間像として結像させ、この中間像を反射面によって拡大投写する投写型表示装置に用いて好適なものである。
【背景技術】
【０００２】
表示素子（液晶パネル等）上の画像を被投写面（スクリーン等）上に拡大投写する投写型表示装置（以下、「プロジェクタ」という）が商品化され広く普及している。この種のプロジェクタでは、スクリーンとプロジェクタ本体の距離を短くするために、投写光学系の広角化とともに、投写光の進行方向を投写光学系の光軸に対して傾斜させる、斜め投写の構成をとるプロジェクタが提案されている。
【０００３】
例えば、以下の特許文献１に記載の発明では、投写光学系として大画角の広角レンズが用いられ、表示素子とスクリーンを投写光学系の光軸に対して互いに相反する方向にシフトさせることにより、投写距離が短縮されると共に、歪曲のない斜め投写が実現されている。しかし、この先行発明では、大画角の広角レンズが必要なため、レンズの大型化に伴うコストの上昇とプロジェクタ本体の大型化が問題となる。
【０００４】
これに対し、以下の特許文献２に記載の発明では、投写光学系として投写レンズユニットとミラーが用いられ、表示素子上の画像を投写レンズユニットとミラーの間に中間像として結像させ、この中間像をミラーによって拡大投写することにより、投写距離の短縮が実現されている。この先行発明によれば、比較的小さな曲面のミラーによって広角化が実現されるため、コストの上昇とプロジェクタ本体の大型化を抑制することができる。
【０００５】
この種のプロジェクタでは、一般に、投写レンズユニットにおいて、フォーカス調整やズーム調整が行われる。例えば、特許文献３および特許文献４に示すように、ユーザーが操作する操作部が設けられ、この操作部を操作することで投写レンズユニット内のレンズの位置を光軸方向に変位させ、これにより、フォーカスやズームの調整が行われる。
【特許文献１】特開平０５−１００３１２号公報
【特許文献２】特開２００４−２５８６２０号公報
【特許文献３】特開２００２−２２８９１０号公報
【特許文献４】特開２００３−２１５７０２号公報
【発明の開示】
【発明が解決しようとする課題】
【０００６】
しかしながら、特許文献２に記載された発明のように、投写レンズユニットからの光を反射ミラーで反射するプロジェクタの場合には、反射ミラーによって投写レンズユニット側に折り返された光がプロジェクタ本体の近くを通過することになる。このため、フォーカスやズームを調整するための操作部の配置によっては、操作部自身が光路にかかってしまったり、操作部を操作するときのユーザーの手指が光路にかかってしまったりして、投写画像に影を生じさせてしまう惧れがある。
【０００７】
本発明は、かかる課題を解消するためになされたものであり、フォーカスやズームの調整の際に、投写画像に影が生じることを防止するようにした投写型表示装置を提供することを課題とする。
【課題を解決するための手段】
【０００８】
上記課題に鑑み本発明は、以下の特徴を有する。
【０００９】
請求項１に係る発明は、光変調素子によって変調された光が入射される投写レンズ部と、この投写レンズ部から出射される光を反射して投写レンズ部側に折り返し被投写面へと向かわせるミラー部とを備えた投写型表示装置において、前記投写レンズ部内のレンズを変位させるための操作部を備え、前記操作部を、前記ミラー部により折り返され、本体キャビネットに配された投写口を通過した後の前記光の光路にかからない領域に配置した、ことを特徴とする。
【００１０】
なお、前記操作部は、被投写面上における投写画像の状態を光学的に調整するものであり、例えば、フォーカス調整やズーム調整を行うためのものである。
【００１１】
請求項２に係る発明は、請求項１に記載の投写型表示装置において、前記操作部は、前記本体キャビネット上の側面領域のうち、前記投写口側から前記本体キャビネットを見たときに前記投写口を通過した後の前記光の光路によって占められる前記投写口側の側面領域以外の側面領域に配置されていることを特徴とする。
【００１２】
請求項３に係る発明は、請求項２に記載の投写型表示装置において、前記操作部は、前記投写口側から見て左側または右側の前記本体キャビネットの側面から外部に露出している、ことを特徴とする。
【００１３】
請求項４に係る発明は、請求項３に記載の投写型表示装置において、前記操作部は、ユーザーが操作するときに触れるツマミ部を含み、前記左側または右側の前記本体キャビネットの側面には、該側面よりも凹む収容部が設けられ、前記ツマミ部を、前記キャビネットの前記側面から張り出さないよう、前記収容部に収容した、ことを特徴とする。
【発明の効果】
【００１４】
本発明の構成によれば、フォーカス調整やズーム調整などを行うための操作部や、この操作部を操作する際のユーザーの手指が、投写画面に向かう投写光を遮ってしまうのを防止することができ、これにより、投写画像に影が生じてしまうことを防止できる。
【００１５】
特に、請求項３のように、前記操作部を、前記投写口側から見て左側または右側の前記本体キャビネットの側面から外部に露出させるようにすれば、背面側を机等に設置して投写型表示装置を使用する場合にも、操作部を円滑に操作することができる。
【００１６】
加えて、請求項４の構成とすれば、ツマミ部が本体キャビネットよりも出っ張らないので、プロジェクタを移動させているときに、ツマミ部が何かに引っ掛り、破損するようなことが起こりにくい。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１８】
【図１】実施の形態に係るプロジェクタの構成を示す図（斜視図）
【図２】実施の形態に係るプロジェクタの構成を示す図（上面図）
【図３】実施の形態に係るプロジェクタの構成を示す図（底面図）
【図４】実施の形態に係るプロジェクタの構成を示す図（右側面図）
【図５】実施の形態に係るプロジェクタの構成を示す図（左側面図）
【図６】実施の形態に係るプロジェクタの構成を示す図（正面図）
【図７】実施の形態に係るプロジェクタの構成を示す図（背面図）
【図８】実施の形態に係る投写光学系の構成を示す図（斜視図）
【図９】実施の形態に係る投写光学系の構成を示す図（断面図）
【図１０】実施の形態に係る光学エンジンの構成を示す図
【図１１】実施の形態に係るプロジェクタの外観構成を示す図（斜視図）
【図１２】実施の形態に係るプロジェクタの外観構成を示す図（右側面図）
【図１３】実施の形態に係るレバーの構成を示す図
【図１４】実施の形態に係る側面パネルのツマミ収容部とレバーの配置関係を示す図
【発明を実施するための最良の形態】
【００１９】
以下、図面を参照して、実施の形態に係るプロジェクタの構成を説明する。
【００２０】
図１ないし図７は、外部キャビネットを省略した状態のプロジェクタを示す図である。図１は、プロジェクタの外観斜視図、図２、図３、図４、図５、図６および図７は、それぞれ、プロジェクタの上面図、底面図、右側面図、左側面図、正面図および背面図である。なお、図２ないし図７には、メイン基板４０が取り外された状態のプロジェクタが示されている。また、図８および図９には、それぞれ、投写光学系の概観斜視図および断面図（模式図）が示されている。
【００２１】
図１ないし図７を参照して、プロジェクタは、光学エンジン１０と、投写光学系２０と、電源ユニット３０と、メイン基板４０と、ＡＶ端子部５０と、吸気ファン６０と、排気ファン７０と、ＡＣインレット９０を備えている。なお、８０ａは上面側キャビネットからのボス、８０ｂは底面側キャビネットからのボス、８０ｃは振動吸収用のブッシュである。
【００２２】
投写光学系２０は、図８に示す板状部２０２ａ、２０５ａが、図１、図２、図３に示すように、ブッシュ８０ｃを介してボス８０ａ、８０ｂ間に挟持されることによりキャビネット内に装着される。投写光学系２０は、振動吸収用のブッシュ８０ｃを介して挟持されているため、投写光学系２０に衝撃が伝わり難くなっている。また、投写光学系２０は、振動吸収用のブッシュ８０ｃを介して上面側キャビネットからのボス８０ａおよび底面側キャビネットからのボス８０ｂにより支持されているため、支持強度が向上している。
【００２３】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図２に示すように、光源１０１は、Ｘ軸方向に光を照射するよう配置され、投写光学系２０は光軸がＹ軸方向となるよう配置されている。なお、光学エンジン１０の構成および光学エンジン１０と投写光学系２０の位置関係については、追って、図１０を参照して説明する。
【００２４】
電源ユニット３０は、光源１０１およびメイン回路４０に電源を供給する。電源ユニット３０には、ＡＣインレット９０を介してＡＣ電圧が入力される。メイン回路４０は、プロジェクタを駆動および制御するための回路である。図１に示す如く、メイン回路４０を保持する回路基板は、光学エンジン１０の上面に、光学エンジン１０の一部を覆うようにして配置されている。また、メイン回路４０には、ＡＶ端子部５０を介してＡＶ（Audio Visual）信号が入力される。
【００２５】
図１および図３に示す如く、光学エンジン１０の底面側には３つの吸気ファン６０が配されている。これら吸気ファン６０によって吸気されたエアーは、光学エンジン１０の左側面側に配された排気ファン７０（図５参照）および背面側に配された排気ファン７０（図７参照）によって排気される。このように吸気ファン６０と排気ファン７０を配置することにより、吸気ファン６０によって吸気されたエアーは、光学エンジン１０の光学系、光源１０１および電源ユニット３０を通過するよう流れる。また、吸気されたエアーは、図２、図３および図６に示す如く、ダクト６１を介して光源１０１の側面に導かれ、光源１０１の側面から排気ファン７０に向かって流れる。かかるエアーの流れによって、これら部材に発生する熱が取り除かれる。
【００２６】
図８および図９に、投写光学系の概観斜視図および断面図を示す。なお、図９は、図８のＡ−Ａ’断面を模式的に示す図である。
【００２７】
同図において、２０１は投写レンズユニット、２０２はハウジング、２０３は埃防止カバー、２０４は反射ミラー、２０５はミラーカバー、２０６は光線通過窓（本発明の投写口に相当）である。
【００２８】
投写レンズユニット２０１は、投写光を中間結像面上に結像させるためのレンズ群と、これらレンズ群の一部を光軸方向に変位させて投写画像のフォーカス状態を調整するためのアクチュエータを備えている。ここで、投写レンズユニット２０１のフォーカス調整は、レバー２０１ａを投写レンズユニット２０１の光軸を軸として回転させることにより行われる。なお、このレバー２０１ａは、光線通過窓２０６から投写される投写光を遮らないよう、図８に示す如く、投写レンズユニット２０１の側方から突出するよう配置されている。
【００２９】
反射ミラー２０４は、非球面形状の反射面を有し、投写レンズユニット２０１から入射された投写光を広角化して、光線通過窓２０６から被投写面（スクリーン面）へ投写する。
【００３０】
投写レンズユニット２０１は、ハウジング２０２内に収容され、さらに、埃防止カバー２０３によって覆われる。また、反射ミラー２０４は、ミラーカバー２０５に収容され、ミラーカバー２０５をハウジング２０２に取り付けることにより、ハウジング２０２に装着される。
【００３１】
図９に示す如く、光学エンジン１０によって生成された合成光は、投写レンズユニット２０１の光軸からＺ軸方向に離間する位置において、投写レンズユニット２０１に入射される。このようにして入射された合成光は、投写レンズユニット２０１によってレンズ作用を受け、ミラー２０４に入射される。しかる後、合成光は、反射ミラー２０４によって広角化され、光線通過窓２０６を介して、被投写面（スクリーン面）へ投写される。
【００３２】
なお、上記の如く、光学エンジン１０からの合成光は、投写レンズユニット２０１の光軸よりもＺ軸方向にずれた位置において、投写レンズユニット２０１に入射されるため、反射ミラー２０４は、図９に示す如く、投写レンズユニット２０１の光軸から合成光のシフト方向と反対側にシフトするようにして配置される。ここで、反射ミラー２０４は、投写レンズユニット２０１を構成する各レンズのレンズ面よりも大きな反射面を有するため、投写レンズユニット２０１の光軸に対する反射ミラー２０４のシフト量は比較的大きなものとなる。このため、プロジェクタの底面側には、図４および図５に示す如く、比較的大きな空間Ｇが生じる。
【００３３】
次に、図１０を参照して、光学エンジン１０の主要構成について説明する。
【００３４】
光源１０１は、バーナとリフレクタから構成され、略平行な光を照明光学系１０２に出射する。光源１０１は、たとえば、超高圧水銀ランプから構成される。照明光学系１０２は、フライアイインテグレータ、ＰＢＳ（偏光ビームスプリッタ）アレイおよびコンデンサレンズを備え、表示素子（液晶パネル）１０６、１０９、１１５に入射する際の各色光の光量分布を均一化させるとともに、ダイクロイックミラー１０３に向かう光の偏光方向を一方向に揃える。
【００３５】
ダイクロイックミラー１０３は、照明光学系１０２から入射された光のうち、青色波長帯の光（以下、「Ｂ光」という）のみを反射し、赤色波長帯（以下、「Ｒ光」という）と緑色波長帯（以下、「Ｇ光」という）を透過する。ミラー１０４は、ダイクロイックミラー１０３によって反射されたＢ光をコンデンサレンズ１０５に向かう方向に反射する。
【００３６】
コンデンサレンズ１０５は、Ｂ光が平行光で表示素子１０６に入射するよう、Ｂ光にレンズ作用を付与する。表示素子１０６は、青色用の映像信号に応じて駆動され、その駆動状態に応じてＢ光を変調する。なお、表示素子１０６の入射側と出射側には偏光板（図示せず）が配されている。
【００３７】
ダイクロイックミラー１０７は、ダイクロイックミラー１０３を透過したＲ光およびＧ光のうち、Ｇ光のみを反射する。コンデンサレンズ１０８は、Ｇ光が平行光で表示素子１０９に入射するよう、Ｇ光にレンズ作用を付与する。表示素子１０９は、緑色用の映像信号に応じて駆動され、その駆動状態に応じてＧ光を変調する。なお、表示素子１０９の入射側と出射側には偏光板（図示せず）が配されている。
【００３８】
リレーレンズ１１０、１１２は、表示素子１１５に対するＲ光の入射状態が表示素子１０６および１０９に対するＢ光およびＧ光の入射状態と等しくなるようＲ光にレンズ作用を付与する。ミラー１１１、１１３は、ダイクロイックミラー１０７を透過したＲ光を表示素子１１５に導くよう、Ｒ光の光路を変更する。
【００３９】
コンデンサレンズ１１４は、Ｒ光が平行光の状態で表示素子１１５に入射するよう、Ｒ光にレンズ作用を付与する。表示素子１１５は、赤色用の映像信号に応じて駆動され、その駆動状態に応じてＲ光を変調する。なお、表示素子１１５の入射側と出射側には偏光板（図示せず）が配されている。
【００４０】
ダイクロイックプリズム１１６は、表示素子１０６、１０９、１１５によって変調されたＢ光、Ｇ光およびＲ光のうち、Ｂ光とＲ光を反射するとともにＧ光を透過し、これにより、Ｂ光、Ｇ光およびＲ光を色合成する。色合成された光（合成光）は、上記の如く、投写光学系２０内の投写レンズユニット２０１に入射される。そして、反射ミラー２０４によって広角化され、光線通過窓２０６を介して、被投写面（スクリーン面）へ投写される。
【００４１】
図示の如く、光源１０１は、光の照射方向がＸ軸方向に向くように配置される。このように光源１０１を配置することにより、光源１０１は、プロジェクタが天吊設置、据え置き設置および机上設置の何れの形態で使用されても、常に、水平方向に光を照射するに位置づけられることとなる。このため、光源１０１が鉛直方向に配置されることによる光源１０１の寿命低下を抑制することができる。
【００４２】
また、図２および図１０に示す如く、光源１０１の光軸が投写レンズユニット２０１の光軸に直交するよう光源１０１が配置されるため、投写レンズユニット２０１の光軸方向における光学エンジン１０の寸法を抑制することができる。よって、投写距離を小さくすることができ、その結果、光線通過窓２０６から出射された光がスクリーンに到達する前に障害物によって遮られる可能性を低減することができる。
【００４３】
図１１は、図１に示すプロジェクタの内部構造をキャビネット内に収容した状態のプロジェクタの概観を示す図（斜視図）である。図１２は、同じく、プロジェクタの右側面図である。なお、図１２においては、ＡＶ端子部５０の各端子が図示省略されている。
【００４４】
図示の如く、本体キャビネット３００には、上記空間Ｇ（図４および図５参照）に対応して生じる段差を補正するために、アーム部材４００が、本体キャビネットの底面に装着されている。また、このアーム部材４００には、先端部がアーム部材４００を貫通するようにして、２つの調整ネジ５００が装着されている。
【００４５】
本体キャビネット３００の上面には操作ボタン部３０１が配されている。また、本体キャビネット３００の底面には、反射ミラー２０４に配置位置に、円弧状の突部３０２が配されている。
【００４６】
本体キャビネット３００の上面には、前方に下る下り傾斜面３００ａと、この下り傾斜面に続いて前方に上る上り傾斜面３００ｂが形成されている。この上り傾斜面３００ｂは上斜め後方を向いており、この面に上記光線通過窓２０６が配置されている。
【００４７】
本体キャビネット３００は、右側面の一部が開口し、その開口部分に側面パネル３０３が嵌め込まれた構成となっている。側面パネル３０３には、上記ＡＶ端子部５０の各端子が配置されている。また、側面パネル３０３の前端部にはツマミ収容部３０４が形成されている。このツマミ収容部３０４には、上述したフォーカス調整用のレバー２０１ａのツマミ部２０１ｂが配置されている。
【００４８】
レバー２０１ａは、図１３に示すように、その基端部に形成された取付部２０１ｃがネジ２０１ｄによって投写レンズユニット２０１の操作筒２０１ｅに固定されている。操作筒２０１ｅは、投写レンズユニット２０１内のレンズを変位させるアクチュエータを構成する１つの構成要素である。レバー２０１ａは、操作筒２０１ｅから側方に延びており、その先端部にツマミ部２０１ｂが設けられている。レバー２０１ａは、ほぼ水平状態から同図における時計方向および反時計方向に、所定の範囲（例えば、それぞれ２０度ずつ）だけ回転するよう構成されている。
【００４９】
図１４は、側面パネル３０３のツマミ収容部３０４とレバー２０１ａの配置関係を示す図である。同図においては、レバー２０１ａおよび側面パネル３０３以外の構成が図示省略されている。
【００５０】
ツマミ収容部３０４は、ツマミ部２０１ｂの操作領域となる部位であり、本体キャビネット３００の側面よりも窪んだ縦長の溝形状をしている。ツマミ収容部３０４の底面３０４ａは、外方に膨らむ曲面形状を有している。この底面３０４ａの曲率中心は、レバー２０１ａの回転中心、すなわち、投写レンズユニット２０１の光軸となっている。ツマミ収容部３０４の底面には、レバー２０１ａの回転する範囲に亘るスリット３０４ｂが形成されている。レバー２０１ａは、このスリット３０４ｂを通って、ツマミ収容部３０４内に露出している。
【００５１】
なお、ツマミ部２０１ｂは、レバー２０１ａを水平状態にしたとき最も側方に出っ張るが、この状態においてもツマミ部２０１ｂがツマミ収容部３０４の凹所内（本体キャビネット３００の側面のライン）から張り出さないよう、レバー２０１ａの長さなどが決められている。
【００５２】
こうして、ユーザーが、図１４（ａ）に示す水平状態から、ツマミ部２０１ｂを上下方向に移動させると、それに応じて、レバー２０１ａとともに操作筒２０１ｅが回転する。そして、操作筒２０１ｅが回転すると、カム機構などの周知の連動機構によって投写レンズユニット２０１内のレンズの位置が光軸方向に変位される。これによって、投写画像のフォーカス状態が調整される。
【００５３】
なお、同図（ｂ）は、ツマミ部２０１ｂを上方へ移動させた状態を示す。ツマミ収容部３０４の底面３０４ａは、上述のように曲面形状にされているので、同図のように、ツマミ部２０１ｂは、底面３０４ａに沿って移動し、底面３０４ａと接触することはない。
【００５４】
本実施の形態では、フォーカス調整用のレバー２０１ａが本体キャビネット３００の右側面から露出するように配置されている。よって、光線通過窓２０６から出射された投写光が、図１２に示すように、徐々に拡がりながら本体キャビネット３００の上面の僅かに上方を通り、被投写面へと向かっても、レバー２０１ａ、すなわち、本体キャビネット３００から露出したレバー２０１ａのツマミ部２０１ｂが投写光を遮ってしまうことがなく、投写画像に影が生じてしまう惧れがない。さらに、このように、ツマミ部２０１ｂが本体キャビネット３００の側面に配置されているので、ツマミ部２０１ｂを操作する手指によって、投写光が遮られることも防止できる。
【００５５】
また、ツマミ部２０１ｂが、本体キャビネット３００の側面から出っ張らないので、プロジェクタを移動させているときに、ツマミ部２０１ｂが何かに引っ掛り、破損するようなことが起こりにくい。
【００５６】
さらに、レバー２０１ａが長尺であり、ツマミ部２０１ｂと操作筒２０１ｅとの距離が離されているので、ツマミ部２０１ｂを同じ量だけ移動させたときの操作筒２０１ｅの回転量を小さくすることができる。よって、フォーカスの微小な調整を行いやすくすることができる。
【００５７】
なお、手指が投写光を遮るという問題を解消するために、フォーカス調整用のレバー２０１ａを別途連係機構等で連係し、手指が投写光を遮ることのない位置でフォーカス調整を行えるようにしても良い。たとえば、レバー２０１ａの突出方向にある本体キャビネットの側面に、レバー２０１ａと同じ方向にスライドする操作ツマミを配置し、この操作ツマミとレバー２０１ａを連係機構によって連結する。この場合、操作ツマミは、たとえば、レバー２０１ａの配置位置から、図４の空間Ｇの方にシフトした位置に配置される。この位置に操作ツマミを配置すれば、フォーカス調整時に操作ツマミを操作しても、手指が投写光を遮る惧れはない。
【００５８】
以上、本発明の実施の形態について説明したが、本発明は、上記実施の形態によって制限されるものではない。例えば、上記実施の形態では、投写レンズユニットにおいて、フォーカスの調整のみが行える構成としているが、これに限らず、フォーカスの調整だけでなくズームの調整も行える構成、またはズームの調整のみが行える構成としてもよい。この場合、ズームの調整するための操作部の構成を、本発明の操作部の構成とすることができる。また、本発明の実施形態は上記の他、種々の変更が可能である。
【符号の説明】
【００５９】
２０１  …  投射レンズユニット
２０１ａ  …  レバー
２０１ｂ  …  ツマミ部
２０４  …  反射ミラー
３００  …  本体キャビネット
３０３  …  側面パネル
３０４  …  ツマミ収容部
【図１】
2011215642.tif 000003
【図２】
2011215642.tif 000004
【図３】
2011215642.tif 000005
【図４】
2011215642.tif 000006
【図５】
2011215642.tif 000007
【図６】
2011215642.tif 000008
【図７】
2011215642.tif 000009
【図８】
2011215642.tif 000010
【図９】
2011215642.tif 000011
【図１０】
2011215642.tif 000012
【図１１】
2011215642.tif 000013
【図１２】
2011215642.tif 000014
【図１３】
2011215642.tif 000015
【図１４】
2011215642.tif 000016